(57)【特許請求の範囲】
【請求項１】
口部、肩部、胴部および底部が合成樹脂で一体に形成されてなるボトルであって、
前記胴部には、前記口部側および底部側からそれぞれ、当該胴部の中心軸線方向における中央部に向かうに従い漸次縮径したウェスト部が備えられ、
該ウェスト部には、このボトルの径方向内方に向けて凹むパネル部が形成され、該パネル部は、前記ウェスト部において、前記底部側の下部から前記胴部の中央部を介して前記口部側の上部に至り、
前記胴部には、その中心軸線方向に間隔をあけて２つの周溝が形成されて、当該胴部が、これらの両周溝よりも前記口部側に位置する上側胴部と、両周溝よりも前記底部側に位置する下側胴部と、両周溝同士の間に位置する前記ウェスト部と、に区画され、
前記パネル部は、前記２つの周溝のうちのいずれか一方の周溝に連なるとともに、他方の周溝から離れて配置され、
前記上側胴部および下側胴部のうち前記一方の周溝に連なる胴部には、前記一方の周溝において前記パネル部におけるこのボトルの周方向両端部と対応する部分同士を連ならせる補助凹溝が形成されていることを特徴とするボトル。
【請求項２】
請求項１記載のボトルであって、
前記胴部の中央部において前記パネル部の非形成部分には、このボトルの周方向に延びる補強凹溝が形成されていることを特徴とするボトル。
【請求項３】
請求項１または２に記載のボトルであって、
前記パネル部において、前記ウェスト部の上部に位置する部分の前記中心軸線に対する傾斜角度は、前記ウェスト部の下部に位置する部分の前記中心軸線に対する傾斜角度よりも大きくなっていることを特徴とするボトル。
【請求項４】
請求項１から３のいずれかに記載のボトルであって、
前記胴部は、第１主壁部と該第１主壁部よりもこのボトルの周方向における長さが短い第２主壁部とが、該第２主壁部よりも前記周方向の長さが短い隅角壁部を介して前記周方向に交互に連結されて構成されるとともに、前記第１主壁部および第２主壁部がそれぞれ、前記中心軸線を径方向で挟んで互いに対向するように一対ずつ備えられ、
前記パネル部は、前記ウェスト部において一対の前記第１主壁部に位置する部分に各別に形成されていることを特徴とするボトル。
【発明の詳細な説明】
【技術分野】
【０００１】
本発明は、合成樹脂製のボトルに関するものである。
【背景技術】
【０００２】
この種のボトルとして、従来から例えば下記特許文献１に示されるように、口部、肩部、胴部および底部が合成樹脂で一体に形成された構成が知られている。
【特許文献１】特開２００４−２９２０３９号公報
【発明の開示】
【発明が解決しようとする課題】
【０００３】
ところで近年では、グリップ性に優れたボトルに対する要望が高まっている。
【０００４】
本発明は、このような事情を考慮してなされたもので、グリップ性に優れたボトルを提供することを目的とする。
【課題を解決するための手段】
【０００５】
上記課題を解決して、このような目的を達成するために、本発明のボトルは、口部、肩部、胴部および底部が合成樹脂で一体に形成されてなるボトルであって、前記胴部には、前記口部側および底部側からそれぞれ、当該胴部の中心軸線方向における中央部に向かうに従い漸次縮径したウェスト部が備えられ、該ウェスト部には、このボトルの径方向内方に向けて凹むパネル部が形成され、該パネル部は、前記ウェスト部において、前記底部側の下部から前記胴部の中央部を介して前記口部側の上部に至り、前記胴部には、その中心軸線方向に間隔をあけて２つの周溝が形成されて、当該胴部が、これらの両周溝よりも前記口部側に位置する上側胴部と、両周溝よりも前記底部側に位置する下側胴部と、両周溝同士の間に位置する前記ウェスト部と、に区画され、前記パネル部は、前記２つの周溝のうちのいずれか一方の周溝に連なるとともに、他方の周溝から離れて配置され、前記上側胴部および下側胴部のうち前記一方の周溝に連なる胴部には、前記一方の周溝において前記パネル部におけるこのボトルの周方向両端部と対応する部分同士を連ならせる補助凹溝が形成されていることを特徴とする。
この発明によれば、胴部に前記ウェスト部が備えられているので、例えば子供等といった手が小さい需要者においても、胴部において外径が最小となる前記中央部を把持することにより、このボトルを強く把持することが可能になる。
さらに、前記ウェスト部にパネル部が形成されているので、このボトルを前述のように把持した状態で持ち上げたときに、指を、前記パネル部においてウェスト部の上部に位置する部分に引っ掛けることが可能になる。
以上より、このボトルに良好なグリップ性を具備させることができる。
また、胴部にウェスト部が備えられているので、このボトルに良好な意匠性を具備させることもできる。
さらに、前記パネル部により、前述のように指を引っ掛させることのみならず、ボトル内圧の変動を吸収させることもできる。特に、後者の作用は、パネル部においてウェスト部の上部に位置する部分に限らずその全体で奏功されることになり、ボトル内圧の変動を確実に吸収させることができる。
【０００６】
ここで、前記胴部の中央部において前記パネル部の非形成部分には、このボトルの周方向に延びる補強凹溝が形成されてもよい。
この場合、胴部に前記補強凹溝が形成されているので、胴部にウェスト部を備えさせたことによる、この胴部における中心軸線回りのねじり変形に対する剛性の低下を抑えることが可能になる。前者の場合、例えば開栓するのにキャップとボトルとを相対的に前記中心軸線回りに回転させたときに胴部がねじれる等して、開栓性が低下するのを防ぐことができる。
【０００７】
また、本発明によれば、パネル部が前記一方の周溝に連なっているので、このボトルに良好な離型性を具備させることが可能になる。
さらに、上側胴部および下側胴部のうち前記一方の周溝に連なる胴部に、前記一方の周溝においてパネル部におけるこのボトルの周方向両端部と対応する部分同士を連ならせる補助凹溝が形成されているので、前述のようにパネル部が一方の周溝に連なっていることによって、パネル部を強く把持したときに、一方の周溝においてパネル部における前記周方向の端部と対応する部分から、上側胴部および下側胴部のうち前記一方の周溝に連なる胴部に向けて延びる折れ線が生じ易くなるのを防ぐことができる。
【０００８】
さらに、前記パネル部において、前記ウェスト部の上部に位置する部分の前記中心軸線に対する傾斜角度は、前記ウェスト部の下部に位置する部分の前記中心軸線に対する傾斜角度よりも大きくなってもよい。
この場合、パネル部において、前記ウェスト部の上部に位置する部分の前記中心軸線に対する傾斜角度が、前記ウェスト部の下部に位置する部分の前記中心軸線に対する傾斜角度よりも大きくなっているので、ボトルを前述のように把持した状態で持ち上げたときに、指をこのパネル部においてウェスト部の上部に位置する部分に確実に引っ掛けることが可能になる。
【０００９】
また、前記胴部は、第１主壁部と該第１主壁部よりもこのボトルの周方向における長さが短い第２主壁部とが、該第２主壁部よりも前記周方向の長さが短い隅角壁部を介して前記周方向に交互に連結されて構成されるとともに、前記第１主壁部および第２主壁部がそれぞれ、前記中心軸線を径方向で挟んで互いに対向するように一対ずつ備えられ、前記パネル部は、前記ウェスト部において一対の前記第１主壁部に位置する部分に各別に形成されてもよい。
この場合、胴部を構成する第１主壁部、第２主壁部および隅角壁部のうち前記周方向における長さが最も大きい第１主壁部に、前記パネル部が形成されているので、このパネル部の占有面積を大きく確保することが可能になり、前述の作用効果を確実に奏功させることができる。
【発明の効果】
【００１０】
この発明に係るボトルによれば、優れたグリップ性を具備させることができる。
【発明を実施するための最良の形態】
【００１１】
以下、図面を参照し、この発明の実施の形態について説明する。本実施形態に係るボトル１０は、図１および図２に示されるように、口部１１、肩部１２、胴部１３および底部１４を備え、これら１１、１２、１３、１４が、それぞれの中心軸線を共通軸上に位置させられた状態で、この共通軸方向の一方から他方に向けてこの順に連設された概略構成とされている。
なお、このボトル１０は、例えば二軸延伸ブロー成形によりポリエチレンテレフタレート等の合成樹脂で一体に形成されている。また、口部１１の外周面には雄ねじ部１１ａが形成されており、この雄ねじ部１１ａに図示されないキャップが着脱可能に螺着されるようになっている。
【００１２】
ここで、本実施形態では、胴部１３および底部１４は、横断面形状が多角形状に形成されており、前記共通軸はこの横断面がなす多角形の中央部を通る直線となっている。以下、この共通軸を中心軸線Ｏという。また、この中心軸線Ｏ方向において口部１１側を上側といい、底部１４側を下側という。
本実施形態では、胴部１３は、第１主壁部１５と該第１主壁部１５よりもこのボトル１０の周方向における長さが短い第２主壁部１６とが、該第２主壁部１６よりも前記周方向の長さが短い隅角壁部１７を介して前記周方向に交互に連結されて構成されている。図示の例では、第１主壁部１５は、前記中心軸線Ｏをこのボトル１０の径方向で挟んで互いに対向するように一対備えられるとともに、第２主壁部１６は、胴部１３の横断面視において第１主壁部１５の配置位置から前記中心軸線Ｏ周りに９０°ずれた位置に配置されて、前記中心軸線Ｏを前記径方向で挟んで互いに対向するように一対備えられている。
【００１３】
そして、本実施形態では、胴部１３に、上側および下側からそれぞれ、当該胴部１３の前記中心軸線Ｏ方向における中央部Ｃに向かうに従い漸次縮径したウェスト部２０が備えられている。
ここで、図示の例では、胴部１３に、前記中心軸線Ｏ方向に間隔をあけて２つの周溝１８、１９が形成されており、当該胴部１３が、これらの両周溝１８、１９よりも上側に位置する上側胴部２１と、両周溝１８、１９よりも下側に位置する下側胴部２２と、に区画されるとともに、この胴部１３において両周溝１８、１９同士の間に位置する部分が前述のウェスト部２０となっている。
【００１４】
また、ウェスト部２０は、上側胴部２１および下側胴部２２それぞれの前記中心軸線Ｏ方向における長さよりも長くなっており、胴部１３全体における前記中心軸線Ｏ方向の中央部Ｃが、このウェスト部２０に位置している。さらに、この胴部１３の前記中央部Ｃは、ウェスト部２０の前記中心軸線Ｏ方向における中央部よりも上側に位置している。さらにまた、ウェスト部２０において胴部１３の前記中央部Ｃよりも上側に位置する上ウェスト部２０ａは、前記径方向内方に向けて凹む凹曲面状に形成され、ウェスト部２０において胴部１３の前記中央部Ｃよりも下側に位置する下ウェスト部２０ｂは、前記径方向外方に向けて膨出する凸曲面状に形成されており、これらの上ウェスト部２０ａと下ウェスト部２０ｂとが、胴部１３の前記中央部Ｃで滑らかに連なっている。そして、上ウェスト部２０ａがなす凹曲面の曲率半径は、下ウェスト部２０ｂがなす凸曲面の曲率半径よりも小さくなっている。これにより、前記中心軸線Ｏに対する上ウェスト部２０ａの傾斜角度は、前記中心軸線Ｏに対する下ウェスト部２０ｂの傾斜角度よりも大きくなっている。
【００１５】
さらに、本実施形態では、ウェスト部２０に、このボトル１０の径方向内方に向けて凹むパネル部２３が形成され、このパネル部２３は、下ウェスト部２０ｂから胴部１３の前記中央部Ｃを通って上ウェスト部２０ａに至っている。図示の例では、パネル部２３は、ウェスト部２０において前述した一対の第１主壁部１５に位置する部分に各別に形成されており、このパネル部２３の側面視形状は、第１主壁部１５においてウェスト部２０に位置する部分の外縁形状に沿った、前記中心軸線Ｏ方向に長い長方形状を呈している。
【００１６】
また、このパネル部２３は、その下端が前述した２つの周溝１８、１９のうち下側に位置する下側周溝１８に連なるとともに、上端が上側に位置する上側周溝１９から下方に離れて配置されている。さらに、パネル部２３の縦断面視形状は、ウェスト部２０に沿った形状となっている。すなわち、パネル部２３において上ウェスト部２０ａに位置する上パネル部２３ａは、前記径方向内方に向けて凹む凹曲面状に形成され、パネル部２３において下ウェスト部２０ｂに位置する下パネル部２３ｂは、前記径方向外方に向けて膨出する凸曲面状に形成されており、これらの上パネル部２３ａと下パネル部２３ｂとが、胴部１３の前記中央部Ｃで滑らかに連なっている。そして、上パネル部２３ａがなす凹曲面の曲率半径は、下パネル部２３ｂがなす凸曲面の曲率半径よりも小さくなっている。これにより、前記中心軸線Ｏに対する上パネル部２３ａの傾斜角度は、前記中心軸線Ｏに対する下パネル部２３ｂの傾斜角度よりも大きくなっている。
【００１７】
さらに、本実施形態では、胴部１３の前記中央部Ｃにおいてパネル部２３の非形成部分には、このボトル１０の周方向に延びる補強凹溝２４が形成されている。この補強凹溝２４は、一方の第１主壁部１５の前記周方向における両端部からそれぞれ、第２主壁部１６および２つの隅角壁部１７を介して他方の第１主壁部１５の前記周方向における両端部に各別に到達している。そして、この補強凹溝２４の周端部２４ａは、第１主壁部１５の前記周方向における端部において、パネル部２３の外周縁から前記周方向に離れた位置に配置されている。さらに、補強凹部２４の上端は、パネル部２３の上端よりも下方に位置している。
【００１８】
また、本実施形態では、下側胴部２２には、下側周溝１８においてパネル部２３におけるこのボトル１０の周方向両端部と対応する部分１８ａ、１８ａ同士を、下側から連ならせる補助凹溝２５が形成されている。図示の例では、補助凹溝２５は、下側胴部２２において前述した一対の第１主壁部１５に位置する部分に各別に形成されている。この補助凹溝２５および下側周溝１８により、下側胴部２２において第１主壁部１５に位置する部分の上端部に補強凸部２６が区画されている。なお、図示の例では、この補強凸部２６の側面視形状は、前記周方向に長い長方形状となっている。
【００１９】
以上説明したように本実施形態に係るボトル１０によれば、胴部１３にウェスト部２０が備えられているので、例えば子供等といった手が小さい需要者においても、胴部１３において外径が最小となる前記中央部Ｃを把持することにより、このボトル１０を強く把持することが可能になる。
さらに、ウェスト部２０にパネル部２３が形成されているので、このボトル１０を前述のように把持した状態で持ち上げたときに、指を上パネル部２３ａに引っ掛けることが可能になる。
以上より、このボトル１０に良好なグリップ性を具備させることができる。
【００２０】
また、胴部１３にウェスト部２０が備えられているので、このボトル１０に良好な意匠性を具備させることもできる。
さらに、パネル部２３により、前述のように指を引っ掛させることのみならず、ボトル内圧の変動を吸収させることもできる。特に、後者の作用は、パネル部２３において上パネル部２３ａに限らず下パネル部２３ｂを含む全体で奏功されることになり、ボトル内圧の変動を確実に吸収させることができる。
【００２１】
また、本実施形態では、胴部１３に補強凹溝２４が形成されているので、胴部１３にウェスト部２０を備えさせたことによる、この胴部１３における中心軸線Ｏ回りのねじり変形に対する剛性の低下を抑えることが可能になる。前者の場合、例えば開栓するのにキャップとボトル１０とを相対的に前記中心軸線Ｏ回りに回転させたときに胴部１３がねじれる等して、開栓性が低下するのを防ぐことができる。
【００２２】
さらに、本実施形態では、パネル部２３が上側周溝１９から下側に離れて配置されているので、ボトル１０を前述のように把持した状態で持ち上げたときに、指を上パネル部２３ａに確実に引っ掛けることが可能になるとともに、このパネル部２３が下側周溝１８に連なっているので、このボトル１０に良好な離型性を具備させることも可能になる。
さらに、下側胴部２２に、下側周溝１８においてパネル部２３の前記周方向両端部と対応する部分１８ａ、１８ａ同士を下側から連ならせる補助凹溝２５が形成されているので、前述のようにパネル部２３が下側周溝１８に連なっていることによって、パネル部２３を強く把持したときに、下側周溝１８においてパネル部２３における前記周方向の端部と対応する部分１８ａから、下側胴部２２に向けて延びる折れ線が生じ易くなるのを防ぐことができる。
【００２３】
また、本実施形態では、上パネル部２３ａの前記中心軸線Ｏに対する傾斜角度が、下パネル部２３ｂの前記中心軸線Ｏに対する傾斜角度よりも大きくなっているので、ボトル１０を前述のように把持した状態で持ち上げたときに、指を上パネル部２３ａに確実に引っ掛けることが可能になる。
さらに、本実施形態では、胴部１３を構成する第１主壁部１５、第２主壁部１６および隅角壁部１７のうち前記周方向における長さが最も大きい第１主壁部１５に、パネル部２３が形成されているので、このパネル部２３の占有面積を大きく確保することが可能になり、前述の作用効果を確実に奏功させることができる。
【００２４】
なお、本発明の技術的範囲は前記実施の形態に限定されるものではなく、本発明の趣旨を逸脱しない範囲において種々の変更を加えることが可能である。
例えば、前記実施形態では、胴部１３が、第１主壁部１５と第２主壁部１６とが隅角壁部１７を介して前記周方向に交互に連結されて、横断面視で多角形状を呈する構成を示したが、これに代えて横断面視で円形状若しくは楕円形状等を呈する構成を採用してもよい。
また、補強凹溝２４および補助凹溝２５を形成したが、これらは形成しなくてもよいし、補助凹溝２５および補強凸部２６の側面視形状やパネル部２３の側面視形状および縦断面視形状は前記実施形態に限らず適宜変更してもよい。
さらに、前記実施形態では、ウェスト部２０およびパネル部２３をそれぞれ、前述のように曲面状に形成したが、これに代えて例えば傾斜平面状等に形成してもよい。
また、前記実施形態では、パネル部２３として、その下端が下側周溝１８に連なるとともに、上端が上側周溝１９から下方に離れて配置された構成を示したが、これに代えてパネル部２３の下端を下側周溝１８から上方に離し、かつパネル部２３の上端を上側周溝１９に連ならせてもよいし、さらにはパネル部２３の上端および下端をそれぞれ、上側周溝１９および下側周溝１８に各別に連ならせてもよい。
【産業上の利用可能性】
【００２５】
優れたグリップ性を具備させることができる。
【図面の簡単な説明】
【００２６】
【図１】本発明に係る一実施形態として示したボトルにおいて第１主壁部を正面に見た側面図である。
【図２】図１に示すボトルにおいて第２主壁部を正面に見た側面図である。
【符号の説明】
【００２７】
１０  ボトル
１１  口部
１２  肩部
１３  胴部
１４  底部
１５  第１主壁部
１６  第２主壁部
１７  隅角壁部
１８  下側周溝
１９  上側周溝
２０  ウェスト部
２０ａ  上ウェスト部（ウェスト部の上部）
２０ｂ  下ウェスト部（ウェスト部の下部）
２１  上側胴部
２２  下側胴部
２３  パネル部
２３ａ  上パネル部
２３ｂ  下パネル部
２４  補強凹溝
２５  補助凹溝
Ｃ  中央部
Ｏ  中心軸線
【図１】
0004990709.tif 000002
【図２】
0004990709.tif 000003